(57)【特許請求の範囲】
【請求項１】
直流電圧を生成する複数の直流電源回路と、
上記複数の直流電源回路のうちから少なくとも一つの直流電源回路を選択し、選択した直流電源回路を動作させる電源選択回路と、
上記電源選択回路が選択した直流電源回路が生成した直流電圧を入力し、入力した直流電圧により発光する光源を有する光源回路と、
上記光源回路を流れる電流を測定し、測定した電流の電流値に基づいて定まる第一の電圧値を有する第一の検出電圧を生成し、測定した電流の電流値に基づいて定まり上記第一の電圧値と異なる第二の電圧値を有する第二の検出電圧を生成する電流測定回路とを有し、
上記複数の直流電源回路のうち第一の直流電源回路は、上記電流測定回路が生成した第一の検出電圧を入力し、入力した第一の検出電圧の電圧値に基づいて定まる電圧値を有する直流電圧を生成し、
上記複数の直流電源回路のうち第二の直流電源回路は、上記電流測定回路が生成した第二の検出電圧を入力し、入力した第二の検出電圧の電圧値に基づいて定まる電圧値を有する直流電圧を生成し、
上記電流測定回路は、
複数の抵抗回路が互いに直列に電気接続した直列回路であって、上記光源回路に対して直列に電気接続した直列回路を有し、
上記直列回路の両端に発生した電圧を、上記第一の検出電圧とし、
上記複数の抵抗回路のいずれかの両端に発生した電圧を、上記第二の検出電圧とする
ことを特徴とする点灯装置。
【請求項２】
直流電圧を生成する複数の直流電源回路と、
上記複数の直流電源回路のうちから少なくとも一つの直流電源回路を選択し、選択した直流電源回路を動作させる電源選択回路と、
上記電源選択回路が選択した直流電源回路が生成した直流電圧を入力し、入力した直流電圧により発光する光源を有する光源回路と、
上記光源回路を流れる電流を測定し、測定した電流の電流値に基づいて定まる第一の電圧値を有する第一の検出電圧を生成し、測定した電流の電流値に基づいて定まり上記第一の電圧値と異なる第二の電圧値を有する第二の検出電圧を生成する電流測定回路とを有し、
上記複数の直流電源回路のうち第一の直流電源回路は、上記電流測定回路が生成した第一の検出電圧を入力し、入力した第一の検出電圧の電圧値に基づいて定まる電圧値を有する直流電圧を生成し、
上記複数の直流電源回路のうち第二の直流電源回路は、上記電流測定回路が生成した第二の検出電圧を入力し、入力した第二の検出電圧の電圧値に基づいて定まる電圧値を有する直流電圧を生成し、
上記複数の直流電源回路は、互いに電気接続したグランド端子と、生成した直流電圧を上記グランド端子に対する電位差として出力する電圧出力端子とを有し、
上記光源回路は、上記複数の直流電源回路の電圧出力端子に電気接続した第一の端子と、第二の端子とを有し、
上記電流測定回路は、
上記光源回路の第二の端子に電気接続した第一の端子と、第二の端子とを有する第一の抵抗回路と、
上記第一の抵抗回路の第二の端子に電気接続した第一の端子と、上記複数の直流電源回路のグランド端子に電気接続した第二の端子とを有する第二の抵抗回路とを有し、
上記第一の抵抗回路の第一の端子に発生した電圧を、上記第一の検出電圧とし、
上記第二の抵抗回路の第一の端子に発生した電圧を、上記第二の検出電圧とする
ことを特徴とする点灯装置。
【請求項３】
上記点灯装置は、三以上の直流電源回路を有し、
上記第二の抵抗回路は、複数の固定抵抗器を直列に電気接続した回路であり、
上記電流測定回路は、上記第二の抵抗回路の複数の固定抵抗器の接続点に発生した電圧を、第三の検出電圧とし、
上記複数の直流電源回路のうち第三の直流電源回路は、上記電流測定回路が生成した第三の検出電圧を入力し、入力した第三の検出電圧の電圧値に基づいて定まる電圧値を有する直流電圧を生成する
ことを特徴とする請求項２に記載の点灯装置。
【請求項４】
上記電流測定回路は、更に、
固定抵抗器とスイッチング回路とを直列に電気接続した回路であって、上記光源回路の第二の端子に電気接続した第一の端子と、上記複数の直流電源回路のグランド端子に電気接続した第二の端子と、上記スイッチング回路を制御する制御信号を入力する制御信号端子とを有する第三の抵抗回路
を有することを特徴とする請求項２または請求項３に記載の点灯装置。
【請求項５】
上記光源回路は、並列に電気接続した複数の光源を有する回路であり、
上記点灯装置は、更に、
上記複数の光源をすべて点灯するか、上記複数の光源のうち一部の光源だけを点灯するかを判断する点灯数判断回路と、
上記点灯数判断回路の判断結果に基づいて、上記複数の光源をすべて点灯する場合に上記電流測定回路のスイッチング回路を導通する制御信号を生成し、上記複数の光源のうち一部の光源だけを点灯する場合に上記電流測定回路のスイッチング回路を絶縁する制御信号を生成する制御信号生成回路と
を有することを特徴とする請求項４に記載の点灯装置。
【請求項６】
上記点灯装置は、更に、上記複数の光源のうちいずれかの光源が故障した場合に、上記光源の故障を検出する故障検出回路を有し、
上記点灯数判断回路は、上記故障検出回路が上記光源の故障を検出した場合に、上記複数の光源のうち一部の光源だけを点灯すると判断することを特徴とする請求項５に記載の点灯装置。
【請求項７】
上記点灯装置は、交流電源から交流電圧を入力し、
上記直流電源回路のうち少なくとも一つの直流電源回路は、上記交流電源から入力した交流電圧から上記直流電圧を生成する交流入力電源回路であり、
上記電源選択回路は、
上記交流電源から交流電圧を入力しているか否かを検出する停電検出回路と、
上記交流電源から交流電圧を入力していないことを上記停電検出回路が検出した場合に、上記交流入力電源回路以外の直流電源回路のうちから少なくとも一つの直流電源回路を選択する停電時選択回路と
を有することを特徴とする請求項１乃至請求項６のいずれかに記載の点灯装置。
【請求項８】
上記点灯装置は、更に、
上記交流電源から入力した交流電圧から直流制御電圧を生成する制御電源回路と、
上記制御電源回路が生成した直流制御電圧により充電される充電池とを有し、
上記直流電源回路のうち少なくとも一つの直流電源回路は、上記充電池に充電された電圧から上記直流電圧を生成する直流入力電源回路であり、
上記停電時選択回路は、上記交流電源から交流電圧を入力していないことを上記停電検出回路が検出した場合に、上記直流入力電源回路のうちから少なくとも一つの直流電源回路を選択することを特徴とする請求項７に記載の点灯装置。
【請求項９】
上記点灯装置は、更に、
プログラムを記憶し、上記制御電源回路が生成した直流制御電圧を電源として動作し、上記交流電源から交流電圧を入力していない場合は上記充電池に充電された電圧を電源として動作し、記憶した上記プログラムを実行するマイクロコンピュータを有し、
上記停電時選択回路は、上記マイクロコンピュータが上記プログラムを実行することにより実現されることを特徴とする請求項８に記載の点灯装置。
【請求項１０】
上記光源は、一または直列に電気接続した複数の発光ダイオードであることを特徴とする請求項１乃至請求項９のいずれかに記載の点灯装置。
【請求項１１】
請求項１乃至請求項１０のいずれかに記載の点灯装置と、
上記光源が発光した光により照らされる表示板と
を有することを特徴とする表示装置。
【請求項１２】
請求項１乃至請求項１０のいずれかに記載の点灯装置と、
上記光源が発光した光により照らされ、避難誘導の図柄を表示する表示板と
を有することを特徴とする誘導灯。
【発明の詳細な説明】
【技術分野】
【０００１】
この発明は、直流電圧により発光する光源を点灯する点灯装置に関する。
【背景技術】
【０００２】
発光ダイオード（ＬＥＤ）などの光源を点灯する点灯装置には、光源を流れる電流を一定にするため、光源を流れる電流を測定する電流測定回路と、電流測定回路の測定結果をフィードバックして、生成する直流電圧を調整する直流電源回路とを有するものがある。
直流電源回路には、商用電源などから供給される交流電圧から直流電圧を生成するものや、充電池などから供給される直流電圧から電圧値が異なる直流電圧を生成するものがある。
【特許文献１】特開２００６−２８６３３９号公報
【特許文献２】特開２００３−１５２２２４号公報
【特許文献３】特開２００４−３９６８４号公報
【発明の開示】
【発明が解決しようとする課題】
【０００３】
誘導灯のように、停電時にも点灯する必要がある光源を点灯する場合、状況に応じて複数の直流電源回路を切り替えて使用する。例えば、通常時は、商用電源などからの交流電圧から直流電圧を生成する直流電源回路を動作させ、停電時は、充電池などからの電圧値が異なる直流電圧から直流電圧を生成する直流電源回路を動作させる。
複数の直流電源回路は、それぞれ特性が異なる場合があるので、複数の直流電源回路それぞれに対応する複数の電流測定回路が必要となる。
この発明は、例えば、上記のような課題を解決するためになされたものであり、複数の直流電源回路を切り替えて使用する場合であっても、複数の電流測定回路を備える必要がなく、部品点数を削減して、点灯装置の小型化・低コスト化を図ることを目的とする。
【課題を解決するための手段】
【０００４】
この発明にかかる点灯装置は、
直流電圧を生成する複数の直流電源回路と、
上記複数の直流電源回路のうちから少なくとも一つの直流電源回路を選択し、選択した直流電源回路を動作させる電源選択回路と、
上記電源選択回路が選択した直流電源回路が生成した直流電圧を入力し、入力した直流電圧により発光する光源を有する光源回路と、
上記光源回路を流れる電流を測定し、測定した電流の電流値に基づいて定まる第一の電圧値を有する第一の検出電圧を生成し、測定した電流の電流値に基づいて定まり上記第一の電圧値と異なる第二の電圧値を有する第二の検出電圧を生成する電流測定回路とを有し、
上記複数の直流電源回路のうち第一の直流電源回路は、上記電流測定回路が生成した第一の検出電圧を入力し、入力した第一の検出電圧の電圧値に基づいて定まる電圧値を有する直流電圧を生成し、
上記複数の直流電源回路のうち第二の直流電源回路は、上記電流測定回路が生成した第二の検出電圧を入力し、入力した第二の検出電圧の電圧値に基づいて定まる電圧値を有する直流電圧を生成することを特徴とする。
【発明の効果】
【０００５】
この発明にかかる点灯装置によれば、電流測定回路が光源回路を流れる電流の電流値に基づいてそれぞれ定まる電圧値を有する複数の検出電圧を生成し、複数の直流電源回路がそれぞれ、電流測定回路１５０が生成した複数の検出電圧のうちいずれかの検出電圧を入力して、入力した検出電圧の電圧値により定まる電圧値を有する直流電圧を生成するので、いずれの直流電源回路が動作している場合であっても、光源回路を流れる電流の電流値をほぼ一定にすることができるという効果を奏する。
【発明を実施するための最良の形態】
【０００６】
実施の形態１．
実施の形態１について、図１〜図４を用いて説明する。
【０００７】
図１は、この実施の形態における誘導灯８００の外観を示す図である。
誘導灯８００は、室内の天井８１０や壁などに取り付けて使用する。
誘導灯８００は、避難誘導の図柄が描かれた表示板２００を有する。なお、この図に示した誘導灯８００は、表示板２００を表側及び裏側にそれぞれ有する両面灯であるが、表示板２００が表側だけにある片面灯であってもよい。
誘導灯８００は、点灯装置１００（図示せず）を内蔵している。
点灯装置１００は、防災用ランプや発光ダイオード（ＬＥＤ）などの光源（図示せず）を点灯して、表示板２００を照らし、表示板２００に描かれた避難誘導の図柄を表示する。
なお、表示板２００に描かれた図柄は、必ずしも避難誘導を表わす図柄でなくてもよい。すなわち、誘導灯８００は、一般的な図柄を表示する表示装置として使用してもよい。
【０００８】
図２は、この実施の形態における点灯装置１００の回路ブロックの構成を示すブロック構成図である。
点灯装置１００は、複数の直流電源回路１１１〜１１２、光源回路１４０、電流測定回路１５０、電源選択回路１６０を有する。
【０００９】
直流電源回路１１１〜１１２は、直流電圧を生成する。なお、この図では、直流電源回路１１１〜１１２が２つしか示していないが、直流電源回路が三以上あってもよい。
電源選択回路１６０は、直流電源回路１１１〜１１２のうちから少なくとも一つの直流電源回路を選択し、選択した直流電源回路を動作させる。
光源回路１４０は、ランプやＬＥＤなどの光源を有する。光源回路１４０は、電源選択回路１６０が選択した直流電源回路が生成した直流電圧を入力し、入力した直流電圧により光源を発光させる。
【００１０】
電流測定回路１５０は、光源回路１４０を流れる電流を測定し、測定した電流の電流値に基づいて定まる電圧値を有する検出電圧を生成する。電流測定回路１５０は、例えば、測定した電流の電流値に比例する電圧値を有する検出電圧を生成する。電流測定回路１５０は、複数の検出電圧を生成する。電流測定回路１５０は、２以上、直流電源回路の数以下の検出電圧を生成する。例えば、直流電源回路が３つある場合、電流測定回路１５０は、２つあるいは３つの検出電圧を生成する。電流測定回路１５０が生成する複数の検出電圧は、それぞれ異なる電圧値を有する。電流測定回路１５０は、例えば、測定した電流の電流値と検出電圧の電圧値との比がそれぞれ異なる複数の検出電圧を生成する。
【００１１】
直流電源回路１１１は、電流測定回路１５０が生成した複数の検出電圧のうち一つの検出電圧を入力する。
直流電源回路１１２は、電流測定回路１５０が生成した複数の検出電圧のうちもう一つの検出電圧を入力する。
直流電源回路１１１〜１１２は、入力した検出電圧（フィードバック信号）の電圧値に基づいて定まる電圧値を有する直流電圧を生成する。直流電源回路１１１〜１１２は、入力した検出電圧の電圧値との間に逆相関の関係を有する電圧値の直流電圧を生成する。すなわち、入力した検出電圧の電圧値が高くなれば、生成する直流電圧の電圧値が低くなる。例えば、直流電源回路１１１〜１１２は、入力した検出電圧の電圧値と所定の基準電圧値との差に比例する電圧値を、所定の基準出力電圧値から差し引いた電圧値の直流電圧を生成する。
直流電源回路１１１が入力する検出電圧の電圧値と生成する直流電圧の電圧値との間の関係と、直流電源回路１１２が入力する検出電圧の電圧値と生成する直流電圧の電圧値との間の関係は、同じであってもよいし、異なっていてもよい。
【００１２】
図３は、この実施の形態における点灯装置１００の回路構成を示す回路図である。
【００１３】
点灯装置１００は、商用電源ＡＣ（例えば、１００Ｖ〜２５４Ｖ、５０Ｈｚ〜６０Ｈｚ）などの交流電源から交流電圧を入力する。
【００１４】
直流電源回路１１１（交流入力電源回路）は、点灯装置１００が入力した交流電圧から直流電圧を生成する。
直流電源回路１１１は、例えば、二つの電圧入力端子、グランド端子、帰還入力端子、電圧出力端子を有する。グランド端子は、共通グランド配線に電気接続している。直流電源回路１１１は、点灯装置１００が入力した交流電圧を二つの電圧入力端子の間の電位差として入力する。直流電源回路１１１は、電流測定回路１５０が生成した検出電圧をグランド端子に対する帰還入力端子の電位差として入力する。直流電源回路１１１は、生成した直流電圧をグランド端子に対する電圧出力端子の電位差として出力する。
【００１５】
直流電源回路１１１は、例えば、ダイオードブリッジＤＢ、コンデンサＣ２１、直流−直流変換回路ＤＣ１１を有する。
ダイオードブリッジＤＢは、入力した交流電圧を全波整流して、脈流電圧を生成する。
コンデンサＣ２１は、ダイオードブリッジＤＢが生成した脈流電圧により充電され、脈流電圧を平滑して、交流成分を小さくする。
直流−直流変換回路ＤＣ１１は、コンデンサＣ２１に充電された脈流電圧を入力し、入力した脈流電圧から、直流電圧を生成する。また、直流−直流変換回路ＤＣ１１は、電流測定回路１５０が生成した検出電圧を入力し、入力した検出電圧の電圧値に基づいて、生成する直流電圧の電圧値を定める。直流−直流変換回路ＤＣ１１は、例えば、降圧チョッパ回路や、三端子レギュレータを含む回路などにより構成してもよいし、汎用ＩＣにより構成してもよい。
【００１６】
制御電源回路１７０は、点灯装置１００が入力した交流電圧から直流電圧（以下「直流制御電圧」と呼ぶ。）を生成する。制御電源回路１７０が生成する直流制御電圧の電圧値は、ほぼ一定（例えば５Ｖ）である。なお、この図では、点灯装置１００が入力した交流電圧を制御電源回路１７０が直接入力しているが、制御電源回路１７０は、ダイオードブリッジＤＢが全波整流した脈流電圧を入力してもよい。
【００１７】
充電池Ｂ２２は、制御電源回路１７０が生成した直流制御電圧により充電される。充電池Ｂ２２は、停電時の非常用電源である。
【００１８】
直流電源回路１１２（直流入力電源回路）は、充電池Ｂ２２に充電された電圧（以下「充電電圧」と呼ぶ。）から直流電圧を生成する。
直流電源回路１１２は、例えば、グランド端子、電圧入力端子、帰還入力端子、電圧出力端子を有する。グランド端子は、共通グランド配線に電気接続している。グランド端子は、共通グランド配線を介して、直流電源回路１１１のグランド端子に電気接続している。直流電源回路１１２は、充電池Ｂ２２に充電された充電電圧をグランド端子に対する電圧入力端子の電位差として入力する。直流電源回路１１２は、電流測定回路１５０が生成した検出電圧をグランド端子に対する帰還入力端子の電位差として入力する。直流電源回路１１２は、生成した直流電圧をグランド端子に対する電圧出力端子の電位差として出力する。
【００１９】
直流電源回路１１２は、例えば、直流−直流変換回路ＤＣ１２を有する。
直流−直流変換回路ＤＣ１２は、充電池Ｂ２２に充電された充電電圧を入力し、入力した充電電圧から、直流電圧を生成する。また、直流−直流変換回路ＤＣ１２は、電流測定回路１５０が生成した検出電圧を入力し、入力した検出電圧の電圧値に基づいて、生成する直流電圧の電圧を定める。また、直流−直流変換回路ＤＣ１２は、直流電圧を生成するか否かを制御する制御信号を入力する。直流−直流変換回路ＤＣ１２は、入力した制御信号が直流電圧の生成を表わす信号である場合、直流電圧を生成する。直流−直流変換回路ＤＣ１２は、入力した制御信号が直流電圧の生成停止を表わす信号である場合、直流電圧を生成しない。直流−直流変換回路ＤＣ１２が入力する制御信号は、例えば、所定の電位より高電位なら直流電圧の生成を表わし、所定の電位より低電位なら直流電圧の生成停止を表わす。直流−直流変換回路ＤＣ１２は、例えば、昇圧チョッパ回路などにより構成してもよいし、汎用ＩＣにより構成してもよい。
【００２０】
光源回路１４０は、光源を有する回路である。光源は、１または直列に電気接続した複数の発光ダイオードＬ４１〜Ｌ４２からなる。光源回路１４０は、複数の光源を、並列に電気接続した回路であってもよい。また、光源回路１４０は、発光ダイオードの点灯消灯を制御するためのスイッチング回路や、発光ダイオードの故障を検出するための検出回路や、並列に接続した複数の光源を流れる電流を均等にするためのカレントミラー回路などを含んでいてもよい。
光源回路１４０は、高電位側端子（第一の端子）と低電位側端子（第二の端子）とを有する。高電位側端子は、ダイオードＤ３１を介して直流電源回路１１１の電圧出力端子に電気接続し、また、ダイオードＤ３２を介して直流電源回路１１２の電圧出力端子に電気接続している。これにより、光源回路１４０は、直流電源回路１１１及び直流電源回路１１２のいずれかが動作している場合に、直流電源回路１１１または直流電源回路１１２が生成した直流電圧を入力する。
光源回路１４０が入力した直流電圧は、光源に印加され、発光ダイオードＬ４１，Ｌ４２が発光する。
【００２１】
電流測定回路１５０は、光源回路１４０を流れる電流を測定し、複数の検出電圧を生成する。電流測定回路１５０は、例えば、グランド端子、電流入力端子、第一検出電圧出力端子、第二検出電圧出力端子を有する。グランド端子は、共通グランド配線に電気接続している。グランド端子は、共通グランド配線を介して、直流電源回路１１１のグランド端子及び直流電源回路１１２のグランド端子に電気接続している。電流入力端子は、光源回路１４０の低電位側端子に電気接続している。これにより、直流電源回路１１１または直流電源回路１１２から光源回路１４０に供給された電流は、電流入力端子から電流測定回路１５０に入り、電流測定回路１５０を流れてグランド端子から出て、直流電源回路１１１または直流電源回路１１２へ戻る。電流測定回路１５０は、生成した検出電圧のうち第一の検出電圧をグランド端子に対する第一検出電圧出力端子の電位差として出力する。電流測定回路１５０は、生成した検出電圧のうち第二の検出電圧をグランド端子に対する第二検出電圧出力端子の電位差として出力する。
【００２２】
電流測定回路１５０は、例えば、抵抗Ｒ５１、抵抗Ｒ５２を有する。
抵抗Ｒ５１（第一の抵抗回路）は、二つの端子を有する固定抵抗器である。抵抗Ｒ５１の一方の端子（第一の端子）は、電流入力端子及び第一検出電圧出力端子に電気接続している。抵抗Ｒ５１のもう一方の端子（第二の端子）は、第二検出電圧出力端子に電気接続している。
抵抗Ｒ５２（第二の抵抗回路）は、二つの端子を有する固定抵抗器である。抵抗Ｒ５２の一方の端子（第一の端子）は、第二検出電圧出力端子に電気接続している。抵抗Ｒ５２のもう一方の端子（第二の端子）は、グランド端子に電気接続している。
すなわち、電流測定回路１５０は、二つの抵抗Ｒ５１〜Ｒ５２を直列に電気接続した回路である。抵抗Ｒ５１の固定抵抗値をＲ１、抵抗Ｒ５２の固定抵抗値をＲ２、光源回路１４０を流れる電流の電流値をＩ１とすると、電流測定回路１５０が生成する第一の検出電圧の電圧値Ｖ１及び第二の検出電圧の電圧値Ｖ２は、以下の式で表わされる。
【００２３】
【数１】
0005197028.tif 000002
【００２４】
電流測定回路１５０が生成した第一の検出電圧は、直流電源回路１１２（第一の直流電源回路）が入力する。電流測定回路１５０が生成した第二の検出電圧は、直流電源回路１１１（第二の直流電源回路）が入力する。なお、これとは逆に、直流電源回路１１１（第一の直流電源回路）が第一の検出電圧を入力し、直流電源回路１１２（第二の直流検出回路）が第二の検出電圧を入力してもよい。
【００２５】
電源選択回路１６０は、直流電源回路１１１〜１１２のうちから一つを選択し、選択した直流電源回路を動作させる。なお、この例における電源選択回路１６０は、直流電源回路１１１を制御して動作・停止を積極的に切り替えるのではなく、直流電源回路１１１が動作しているか否かを検出し、直流電源回路１１１が動作している場合に直流電源回路１１２を停止させ、直流電源回路１１１が動作していない場合に直流電源回路１１２を動作させる。
【００２６】
電源選択回路１６０は、停電検出回路１６１、停電時選択回路１６２を有する。
停電検出回路１６１は、点灯装置１００が商用電源ＡＣなどの交流電源から入力した交流電圧に基づいて、商用電源ＡＣなどの交流電源から交流電圧が供給されているか否かを検出する。
商用電源ＡＣなどの交流電源から交流電圧が供給されている場合（以下「通常時」と呼ぶ。）は、直流電源回路１１１が動作し、直流電圧を生成するが、停電などにより、商用電源ＡＣなどの交流電源から交流電圧が供給されていない場合（以下「停電時」と呼ぶ。）は、直流電源回路１１１が動作せず、直流電圧を生成しない。停電検出回路１６１は、商用電源ＡＣなどの交流電源から交流電圧が供給されているか否かを検出することにより、直流電源回路１１１が動作しているか否かを検出する。
停電検出回路１６１は、検出結果を表わす停電信号を出力する。
【００２７】
停電時選択回路１６２は、停電検出回路１６１が出力した停電信号を入力する。停電時選択回路１６２は、入力した停電信号が表わす停電検出回路１６１の検出結果に基づいて、直流−直流変換回路ＤＣ１２に入力する制御信号を生成する。
商用電源ＡＣなどの交流電源から交流電圧が供給されていることを、停電検出回路１６１が検出した場合（すなわち通常時の場合）、停電時選択回路１６２は、直流電源回路１１２の直流−直流変換回路ＤＣ１２を停止させる制御信号を生成する。商用電源ＡＣなどの交流電源から交流電圧が供給されていないことを、停電検出回路１６１が検出した場合（すなわち停電時の場合）、停電時選択回路１６２は、直流−直流変換回路ＤＣ１２を動作させる制御信号を生成する。
【００２８】
停電時選択回路１６２が生成した制御信号は、直流−直流変換回路ＤＣ１２が入力する。直流−直流変換回路ＤＣ１２は、入力した制御信号に基づいて、直流電圧を生成し、あるいは直流電圧の生成を停止する。
このようにして、電源選択回路１６０は、直流電源回路１１１〜１１２のうちからいずれか一つを選択して、選択した直流電源回路を動作させる。
【００２９】
また、点灯装置１００は、マイクロコンピュータＣＯＭを有する。
マイクロコンピュータＣＯＭは、内蔵した（あるいは外付けの）ＲＯＭなどの不揮発性メモリにプログラムを記憶し、記憶したプログラムを実行する。
マイクロコンピュータＣＯＭは、制御電源回路１７０が生成した直流制御電圧を電源として動作する。また、停電などにより、商用電源ＡＣなどの交流電源から交流電圧が供給されない場合は、充電池Ｂ２２に充電された電圧を電源として動作する。
【００３０】
マイクロコンピュータＣＯＭは、プログラムを実行することにより、停電時選択回路１６２を実現する。なお、マイクロコンピュータＣＯＭは、停電時選択回路１６２だけでなく、他の回路を実現してもよい。逆に、停電時選択回路１６２や他の回路は、マイクロコンピュータＣＯＭが実現するのではなく、アナログ部品あるいはデジタル部品により構成されるアナログ回路・デジタル回路・アナログデジタル混在回路などにより実現してもよい。
【００３１】
直流−直流変換回路ＤＣ１１及び直流−直流変換回路ＤＣ１２が生成して光源回路１４０が入力する直流電圧の電圧値は、例えば、１０Ｖ〜２０Ｖ程度である。
直流−直流変換回路ＤＣ１１が入力する脈流電圧の平均電圧値は、例えば、１００Ｖ〜２５４Ｖ程度である。したがって、直流−直流変換回路ＤＣ１１は、入力した脈流電圧を降圧して、直流電圧を生成する。
これに対して、直流−直流変換回路ＤＣ１２が入力する充電池Ｂ２２に充電された充電電圧の電圧値は、マイクロコンピュータＣＯＭの動作電源電圧の電圧値と同じであり、例えば、５Ｖ程度である。したがって、直流−直流変換回路ＤＣ１２は、入力した充電電圧を昇圧して、直流電圧を生成する。
【００３２】
このように、直流−直流変換回路ＤＣ１１と直流−直流変換回路ＤＣ１２とは、異なる構成である。このため、多くの場合、直流−直流変換回路ＤＣ１１と直流−直流変換回路ＤＣ１２とが同じ電圧値の検出電圧を入力しても、異なる直流電圧を生成する。特に、汎用ＩＣを用いて直流−直流変換回路ＤＣ１１及び直流−直流変換回路ＤＣ１２を構成する場合には、汎用ＩＣの規格・性能・価格・信頼性などを考慮して最適なＩＣを選択し、直流−直流変換回路ＤＣ１１及び直流−直流変換回路ＤＣ１２を構成するので、直流−直流変換回路ＤＣ１１及び直流−直流変換回路ＤＣ１２の特性が異なる場合がある。
【００３３】
図４は、この実施の形態における直流電源回路１１１及び直流電源回路１１２が入力する検出電圧と生成する直流電圧との関係を示す特性グラフ図である。
横軸は、直流−直流変換回路ＤＣ１１及び直流−直流変換回路ＤＣ１２が入力する検出電圧を示す。縦軸は、直流−直流変換回路ＤＣ１１が生成する直流電圧ＶＯＵＴ１（実線）及び直流−直流変換回路ＤＣ１２が生成する直流電圧ＶＯＵＴ２（破線）を示す。
【００３４】
点灯装置１００は、光源回路１４０を流れる電流の電流値Ｉ１が一定（例えば、発光ダイオードの定格電流値により定まる）になるように直流電源回路１１１及び直流電源回路１１２が生成する直流電圧の電圧値を制御する。
ここで、直流電源回路１１１または直流電源回路１１２が生成する直流電圧がＶ０程度（例えば、発光ダイオードの電圧電流特性により定まるが、発光ダイオードの特性のバラツキなどにより、正確な値を前もって知ることはできない）である場合に、光源回路１４０を流れる電流Ｉ１の電流値が所望の値Ｉ０になるものとする。
【００３５】
通常時には、直流電源回路１１１が直流電圧を生成する。このとき、直流−直流変換回路ＤＣ１１が入力する検出電圧は、ＶＩＮ１程度である必要がある。
停電時には、直流電源回路１１２が直流電圧を生成する。このとき、直流−直流変換回路ＤＣ１２が入力する検出電圧は、ＶＩＮ２程度である必要がある。
【００３６】
そこで、この実施の形態では、電流測定回路１５０が生成する二つの検出電圧のうち、第一の検出電圧を直流−直流変換回路ＤＣ１２に入力し、第二の検出電圧を直流−直流変換回路ＤＣ１１に入力する。
また、抵抗Ｒ５１の抵抗値Ｒ１及び抵抗Ｒ５２の抵抗値Ｒ２を、以下の式から算出した値に設定する。
【００３７】
【数２】
0005197028.tif 000003
【００３８】
通常時には、直流電源回路１１１が直流電圧を生成し、光源回路１４０に電流が流れる。いま、直流電源回路１１１が生成する直流電圧の電圧値ＶＯＵＴ１が低く、光源回路１４０を流れる電流の電流値Ｉ１が所望の値Ｉ０より小さいとすると、電流測定回路１５０が生成する第二の検出電圧の電圧値Ｖ２＝Ｒ２×Ｉ１が、設計値ＶＩＮ１＝Ｒ２×Ｉ０より小さいので、直流電源回路１１１は、生成する直流電圧の電圧値ＶＯＵＴ１を大きくする。逆に、直流電源回路１１１が生成する直流電圧の電圧値ＶＯＵＴ１が高く、光源回路１４０を流れる電流の電流値Ｉ１が所望の値Ｉ０より大きいとすると、電流測定回路１５０が生成する第二の検出電圧の電圧値Ｖ２＝Ｒ２×Ｉ１が、設計値ＶＩＮ１＝Ｒ２×Ｉ０より大きいので、直流電源回路１１１は、生成する直流電圧の電圧値ＶＯＵＴ１を小さくする。これにより、光源回路１４０を流れる電流の電流値Ｉ１が、所望の値Ｉ０とほぼ等しくなる。
【００３９】
停電時には、直流電源回路１１２が直流電圧を生成し、光源回路１４０に電流が流れる。いま、直流電源回路１１２が生成する直流電圧の電圧値ＶＯＵＴ２が低く、光源回路１４０を流れる電流の電流値Ｉ１が所望の値Ｉ０より小さいとすると、電流測定回路１５０が生成する第一の検出電圧の電圧値Ｖ１＝（Ｒ１＋Ｒ２）×Ｉ１が、設計値ＶＩＮ２＝（Ｒ１＋Ｒ２）×Ｉ０より小さいので、直流電源回路１１２は、生成する直流電圧の電圧値ＶＯＵＴ２を大きくする。逆に、直流電源回路１１２が生成する直流電圧の電圧値ＶＯＵＴ２が高く、光源回路１４０を流れる電流の電流値Ｉ１が所望の値Ｉ０より大きいとすると、電流測定回路１５０が生成する第一の検出電圧の電圧値Ｖ１＝（Ｒ１＋Ｒ２）×Ｉ１が、設計値ＶＩＮ２＝（Ｒ１＋Ｒ２）×Ｉ０より大きいので、直流電源回路１１２は、生成する直流電圧の電圧値ＶＯＵＴ２を小さくする。これにより、光源回路１４０を流れる電流の電流値Ｉ１が、所望の値Ｉ０とほぼ等しくなる。
【００４０】
このように、電流測定回路１５０が光源回路１４０を流れる電流の電流値によりそれぞれ定まる電圧値を有する複数の検出電圧を生成し、複数の直流電源回路１１１〜１１２がそれぞれ、電流測定回路１５０が生成した複数の検出電圧のうちいずれかの検出電圧を入力して、入力した検出電圧の電圧値により定まる電圧値を有する直流電圧を生成するので、いずれの直流電源回路が動作している場合であっても、光源回路１４０を流れる電流の電流値をほぼ一定にすることができる。
【００４１】
なお、この例では、ＶＩＮ１よりＶＩＮ２のほうが大きい場合について説明したが、ＶＩＮ１のほうがＶＩＮ２より大きい場合には、電流測定回路１５０が生成した第一の検出電圧を直流電源回路１１１が入力し、電流測定回路１５０が生成した第二の検出電圧を直流電源回路１１２が入力する構成とすればよい。
【００４２】
電流測定回路１５０は、常に複数の検出電圧を生成しているので、直流電圧を生成する直流電源回路を切り替えた際に、検出電圧のレベルを切り替える必要がない。これに対して、電流測定回路１５０が一つの検出電圧しか生成せず、動作している直流電源回路を表わす信号を電流測定回路１５０が入力して、入力した信号に基づいて、生成する検出電圧のレベルを切り替える場合、電流測定回路１５０の動作遅延により、動作している直流電源回路と適合しない検出電圧を生成して、光源回路１４０に過電流が流れる可能性がある。
この実施の形態の電流測定回路１５０は、常に複数の検出電圧を生成しているので、動作遅延が発生せず、光源回路１４０に過電流が流れるのを防ぐことができる。
【００４３】
更に、電流測定回路１５０は、固定抵抗器二個という非常に簡単な構成で、二つの検出電圧を生成する。このように、電流測定回路１５０の構成が非常に簡単であり、安価な部品で構成できるので、点灯装置１００を小型化でき、点灯装置１００の製造コストを低く抑えることができる。
【００４４】
点灯装置１００は、通常時には、商用電源ＡＣなどの交流電源から電力の供給を受け、直流電源回路１１１が直流電圧を生成して、光源を点灯するとともに、充電池Ｂ２２を充電し、停電時には、充電池Ｂ２２に充電された電圧を電源として、直流電源回路１１２が直流電圧を生成して、光源を点灯する。直流電源回路１１１と直流電源回路１１２との特性の違いに対応して、電流測定回路１５０が複数の検出電圧を生成するので、直流電圧を生成する直流電源回路が切り替わっても、光源回路１４０を流れる電流を常に一定にすることができる。
【００４５】
なお、通常時に光源回路１４０に流す電流と、停電時に光源回路１４０に流す電流とが異なる電流値に設定してもよい。例えば、停電時に充電池Ｂ２２を長持ちさせるため、停電時に光源回路１４０に流す電流の電流値Ｉ０２を、通常時に光源回路１４０に流す電流の電流値Ｉ０１より小さくしてもよいし、逆に、停電時の電流値Ｉ０２を通常時の電流値Ｉ０１より大きくしてもよい。
その場合、抵抗Ｒ５１の抵抗値Ｒ１及び抵抗Ｒ５２の抵抗値Ｒ２は、以下の式により算出した値に設定する。
【００４６】
【数３】
0005197028.tif 000004
【００４７】
なお、この場合において、直流−直流変換回路ＤＣ１１の特性と直流−直流変換回路ＤＣ１２の特性とが同じであってもよいし、異なっていてもよい。
このように、点灯装置１００は、直流電圧を生成する直流電源回路を切り替えた際に、光源回路１４０を流れる電流の電流値を変えたい場合などにも対応できる。
【００４８】
また、点灯装置１００の回路の少なくとも一部をマイクロコンピュータＣＯＭにより実現するので、部品点数を減らすことができ、点灯装置１００の小型化、製造コストの削減ができる。制御電源回路１７０が生成する直流制御電圧の電圧値と、充電池Ｂ２２に充電された充電電圧の電圧値とが同じなので、マイクロコンピュータＣＯＭは、通常時には、制御電源回路１７０から電源の供給を受けて動作し、停電時には、充電池Ｂ２２から電源の供給を受けて動作する。
【００４９】
なお、光源は、必ずしも発光ダイオードである必要はなく、他の光源であってもよい。
発光ダイオードは、流れる電流により明るさが定まり、電圧電流特性にバラツキがあるので、明るさを一定にするためには、電流を制御する必要がある。点灯装置１００によれば、通常時および停電時それぞれの設計値に近い電流を、光源回路１４０に流すことができる。
【００５０】
以上説明した点灯装置１００は、防災用のランプまたはＬＥＤと、非常用電源（充電池Ｂ２２）と、通常時は商用電源（商用電源ＡＣ）からの２系統の電力供給にて前記ランプまたはＬＥＤ（光源）を点灯させることのできる点灯回路において、光源回路１４０を流れるランプ電流を決定する電流検出抵抗（電流測定回路１５０）から電源が異なり動作基準電圧の違う２つのＤＣ−ＤＣコンバータ（直流−直流変換回路ＤＣ１１及び直流−直流変換回路ＤＣ１２）の制御信号（検出信号）を得ることが出来る。
電流測定回路１５０は、通常時には、商用電源（商用電源ＡＣ）を整流し、所定の直流電圧値に変換するＤＣ−ＤＣコンバータ（直流−直流変換回路ＤＣ１１）の制御信号（検出信号）を得るとともに、光源回路１４０を流れるランプ電流を決定する。
また、電流測定回路１５０は、停電時には、非常用電源（充電池Ｂ２２）から所定の直流電圧値に変換するＤＣ−ＤＣコンバータ（直流−直流変換回路ＤＣ１２）の制御信号（検出信号）を得るとともに、光源回路１４０を流れるランプ電流を決定する。
これにより、常用時（通常時）、非常時（停電時）とで複数の動作基準電圧の違うＤＣ−ＤＣコンバータ（直流−直流変換回路ＤＣ１１，ＤＣ１２）を動作させる際であっても、一つの電流測定回路１５０で、おのおのの制御信号（検出信号）を取り出すことができる。
【００５１】
実施の形態２．
実施の形態２について、図５を用いて説明する。
【００５２】
図５は、この実施の形態における点灯装置１００の回路構成を示す回路図である。
なお、実施の形態１で説明した点灯装置１００と共通する部分については、同一の符号を付し、ここでは説明を省略する。
【００５３】
この実施の形態における点灯装置１００は、商用電源ＡＣなどの交流電源のほか、非常用直流電源ＢＡなどの直流電源からも電力の供給を受け、光源を点灯する。
【００５４】
点灯装置１００は、直流電源回路１１３を有する。
直流電源回路１１３（直流入力電源回路）は、点灯装置１００が非常用直流電源ＢＡから入力した直流電圧（以下「非常用電圧」と呼ぶ。）から直流電圧を生成する。
直流電源回路１１３は、例えば、グランド端子、電圧入力端子、帰還入力端子、電圧出力端子を有する。グランド端子は、共通グランド配線に電気接続している。グランド端子は、共通グランド配線を介して、直流電源回路１１１及び直流電源回路１１２及び電流測定回路１５０のグランド端子に電気接続している。直流電源回路１１３は、非常用電圧をグランド端子に対する電圧入力端子の電位差として入力する。直流電源回路１１３は、電流測定回路１５０が生成した検出電圧をグランド端子に対する帰還入力端子の電位差として入力する。直流電源回路１１３は、生成した直流電圧をグランド端子に対する電圧出力端子の電位差として出力する。
【００５５】
直流電源回路１１３は、例えば、直流−直流変換回路ＤＣ１３を有する。
直流−直流変換回路ＤＣ１３は、非常用電圧を入力し、入力した非常用電圧から、直流電圧を生成する。また、直流−直流変換回路ＤＣ１３は、電流測定回路１５０が生成した検出電圧を入力し、入力した検出電圧の電圧値に基づいて、生成する直流電圧の電圧を定める。また、直流−直流変換回路ＤＣ１３は、直流電圧を生成するか否かを制御する制御信号を入力する。直流−直流変換回路ＤＣ１３は、入力した制御信号が直流電圧の生成を表わす信号である場合、直流電圧を生成する。直流−直流変換回路ＤＣ１３は、入力した制御信号が直流電圧の生成停止を表わす信号である場合、直流電圧を生成しない。
【００５６】
光源回路１４０の高電位側端子は、更に、ダイオードＤ３３を介して直流電源回路１１３の電圧出力端子に電気接続している。
【００５７】
電流測定回路１５０は、更に、第三検出電圧出力端子を有する。電流測定回路１５０は、第三の検出電圧を生成し、生成した第三の検出電圧をグランド端子に対する第三検出電圧出力端子の電位差として出力する。
電流測定回路１５０は、例えば、三つの抵抗Ｒ５１〜Ｒ５３を有する。
抵抗Ｒ５２及び抵抗Ｒ５３は、直列に電気接続した固定抵抗器である。抵抗Ｒ５２及び抵抗Ｒ５３の直列回路（第二の抵抗回路）は、一方の端子（第一の端子）が第二検出電圧出力端子に電気接続し、もう一方の端子（第二の端子）がグランド端子に電気接続し、抵抗Ｒ５２と抵抗Ｒ５３との接続点が第三検出電圧出力端子に電気接続している。
【００５８】
電流測定回路１５０が生成した第一の検出電圧は、直流電源回路１１２が入力する。電流測定回路１５０が生成した第二の検出電圧は、直流電源回路１１３が入力する。電流測定回路１５０が生成した第三の検出電圧は、直流電源回路１１１が入力する。
なお、これは一例であって、いずれの検出電圧をいずれの直流電源回路が入力してもよい。
【００５９】
電源選択回路１６０は、直流電源回路１１１〜１１３のうちから一つを選択し、選択した直流電源回路を動作させる。なお、この例における電源選択回路１６０は、実施の形態１と同様、直流電源回路１１１を制御して動作・停止を積極的に切り替えるのではなく、直流電源回路１１１が動作しているか否かを検出し、直流電源回路１１１が動作している場合に直流電源回路１１２及び直流電源回路１１３を停止させ、直流電源回路１１１が動作していない場合に直流電源回路１１２または直流電源回路１１３を動作させる。
【００６０】
停電時選択回路１６２は、停電検出回路１６１の検出結果に基づいて、直流−直流変換回路ＤＣ１２に入力する制御信号（以下「第二制御信号」と呼ぶ。）と、直流−直流変換回路ＤＣ１３に入力する制御信号（以下「第三制御信号」と呼ぶ。）とを生成する。通常時の場合、停電時選択回路１６２は、直流−直流変換回路ＤＣ１２の動作を停止させる第二制御信号と、直流−直流変換回路ＤＣ１３の動作を停止させる第三制御信号とを生成する。停電時の場合、停電時選択回路１６２は、直流電源回路１１２を動作させるか直流電源回路１１３を動作させるかを決定する。直流電源回路１１２を動作させると決定した場合、停電時選択回路１６２は、直流−直流変換回路ＤＣ１２を動作させる第二制御信号と、直流−直流変換回路ＤＣ１３の動作を停止させる第三制御信号とを生成する。逆に、直流電源回路１１３を動作させると決定した場合、停電時選択回路１６２は、直流−直流変換回路ＤＣ１２の動作を停止させる第二制御信号と、直流−直流変換回路ＤＣ１３を動作させる第三制御信号とを生成する。
停電時選択回路１６２は、例えば、停電後、所定の時間が経過するまでは、直流電源回路１１３を動作させ、その後停電が継続している場合に、直流電源回路１１２を動作させる。あるいは、電源選択回路１６０は、非常用直流電源ＢＡから入力する非常用電圧の電圧値を測定する非常用電圧測定回路を有し、非常用電圧測定回路が測定した非常用電圧の電圧値が所定の電圧値以上である場合に、直流電源回路１１３を動作させ、非常用電圧の電圧値が所定の電圧値未満である場合に、直流電源回路１１２を動作させることとしてもよい。
【００６１】
このように、停電してすぐは、充電池Ｂ２２に充電された充電電圧は、マイクロコンピュータＣＯＭの電源としてのみ使用し、光源を点灯するための電源には、外部の非常用直流電源ＢＡを使用し、その後、外部の非常用直流電源ＢＡの電圧が下がってきたら、光源を点灯するための電源にも、充電池Ｂ２２を使用する。これにより、停電時に光源をより長い時間点灯することができる。
【００６２】
なお、抵抗Ｒ５１の抵抗値Ｒ１、抵抗Ｒ５２の抵抗値Ｒ２、抵抗Ｒ５３の抵抗値Ｒ３は、以下の式により算出した値に設定する。
【００６３】
【数４】
0005197028.tif 000005
【００６４】
ここで、ＶＩＮ１、ＶＩＮ２、ＶＩＮ３は、それぞれ直流−直流変換回路ＤＣ１１、直流−直流変換回路ＤＣ１２、直流−直流変換回路ＤＣ１３が生成する直流電圧の電圧値がＶ０になる検出電圧の電圧値であり、ＶＩＮ１＜ＶＩＮ３＜ＶＩＮ２であるものとする。
なお、ＶＩＮ１、ＶＩＮ２、ＶＩＮ３の大小関係が上記と異なる場合には、直流−直流変換回路ＤＣ１１〜ＤＣ１３が入力する検出電圧を変えて、ＶＩＮ１、ＶＩＮ２、ＶＩＮ３の順序と対応するようにすればよい。例えば、ＶＩＮ１、ＶＩＮ２、ＶＩＮ３のうちＶＩＮ１が一番大きいのであれば、直流−直流変換回路ＤＣ１１が第一の検出電圧を入力するよう接続し、ＶＩＮ３が一番大きいのであれば、直流−直流変換回路ＤＣ１３が第一の検出電圧を入力するよう接続すればよい。
【００６５】
この実施の形態の点灯装置１００は、三つの直流電源回路を切り替えて、光源を点灯する。電流測定回路１５０は、三つの検出電圧を生成し、三つの直流電源回路がそれぞれ三つの検出電圧のうちの一つを入力して、入力した検出電圧に基づいて、生成する直流電圧を調整する。
このように、三つの直流電源回路を切り替えて、光源を点灯する場合でも、電流測定回路１５０が三つの検出電圧を生成するので、いずれの直流電源回路が動作している場合であっても、光源回路１４０を流れる電流の電流値をほぼ一定にすることができる。
【００６６】
また、電流測定回路１５０は、固定抵抗器三個という非常に簡単な構成で、三つの検出電圧を生成する。一般に、電流測定回路１５０は、生成する検出電圧の数と同じ数の固定抵抗器があれば構成できる。このように、電流測定回路１５０の構成が非常に簡単であり、安価な部品で構成できるので、点灯装置１００を小型化でき、点灯装置１００の製造コストを低く抑えることができる。
【００６７】
以上説明した点灯装置１００は、三以上の電源系統の電力供給にて前記ランプまたはＬＥＤを点灯させることのできる点灯回路において、ランプ電流を決定する電流検出抵抗（電流測定回路１５０）から、電源が異なり動作基準電圧の違う複数のＤＣ−ＤＣコンバータ（直流−直流変換回路ＤＣ１１〜ＤＣ１３）の制御信号を得ることが出来る。
【００６８】
実施の形態３．
実施の形態３について、図６を用いて説明する。
【００６９】
図６は、この実施の形態における点灯装置１００の回路構成を示す回路図である。
なお、実施の形態１で説明した点灯装置１００と共通する部分については、同一の符号を付し、ここでは説明を省略する。
【００７０】
光源回路１４０は、発光ダイオードＬ４１〜Ｌ４２を有する第一の光源と、発光ダイオードＬ４３〜Ｌ４４を有する第二の光源とを有する。
第一の光源は、例えば、スイッチング回路ＳＷ４５、発光ダイオードＬ４１、発光ダイオードＬ４２、抵抗Ｒ４７を直列に電気接続した回路である。
第二の光源は、例えば、スイッチング回路ＳＷ４６、発光ダイオードＬ４３、発光ダイオードＬ４４、抵抗Ｒ４８を直列に電気接続した回路である。
光源回路１４０は、第一の光源と第二の光源とを並列に電気接続した回路である。
【００７１】
スイッチング回路ＳＷ４５，ＳＷ４６は、光源回路１４０の高電位側端子に電気接続した第一の端子と、第二の端子と、制御入力端子とを有する。スイッチング回路ＳＷ４５の第二の端子は、発光ダイオードＬ４１のアノード端子に電気接続し、スイッチング回路ＳＷ４６の第二の端子は、発光ダイオードＬ４３のアノード端子に電気接続している。スイッチング回路ＳＷ４５，ＳＷ４６は、制御入力端子から制御信号を入力し、入力した制御信号に基づいて、第一の端子と第二の端子との間を導通あるいは絶縁する。
【００７２】
電流測定回路１５０は、更に、制御入力端子を有する。電流測定回路１５０は、制御入力端子から制御信号を入力し、入力した制御信号に基づいて、測定した電流値と、生成する複数の検出電圧との間の関係（電圧電流特性）を変化させる。
電流測定回路１５０は、例えば、抵抗Ｒ５１、抵抗Ｒ５２、抵抗Ｒ５４、トランジスタＱ５５を有する。
抵抗Ｒ５４は、二つの端子を有する固定抵抗器である。抵抗Ｒ５４の一方の端子（第一の端子）は、電流測定回路１５０の電流入力端子及び第一検出電圧出力端子に電気接続している。
トランジスタＱ５５（スイッチング回路）は、三つの端子を有するＮＰＮ型バイポーラトランジスタである。トランジスタＱ５５のコレクタ端子は、抵抗Ｒ５４のもう一方の端子（第二の端子）に電気接続している。トランジスタＱ５５のベース端子は、電流測定回路１５０の制御入力端子に電気接続している。トランジスタＱ５５のエミッタ端子は、電流測定回路１５０のグランド端子に電気接続している。
すなわち、抵抗Ｒ５４とトランジスタＱ５５とを直列に電気接続した回路（第三の抵抗回路）は、抵抗Ｒ５１と抵抗Ｒ５２とを直列に電気接続した回路と並列に電気接続している。
トランジスタＱ５５は、ベース端子から制御信号を入力する。入力した制御信号により、トランジスタＱ５５のベース−エミッタ間電圧が所定の電圧（例えば、０．６Ｖ）より大きい場合に、トランジスタＱ５５のコレクタ−エミッタ間が導通し、トランジスタＱ５５のベース−エミッタ間電圧が所定の電圧より小さい場合に、トランジスタＱ５５のコレクタ−エミッタ間が絶縁する。
【００７３】
トランジスタＱ５５のコレクタ−エミッタ間が絶縁している状態において、電流測定回路１５０が生成する第一の検出電圧の電圧値Ｖ１及び第二の検出電圧の電圧値Ｖ２は、実施の形態で「数１」を用いて説明したものと同じである。
トランジスタＱ５５のコレクタ−エミッタ間が導通している状態において、電流測定回路１５０が生成する第一の検出電圧の電圧値Ｖ１及び第二の検出電圧の電圧値Ｖ２は、抵抗Ｒ５４の抵抗値をＲ４とすると、以下の式で表わされる。
【００７４】
【数５】
0005197028.tif 000006
【００７５】
ここで、Ｒ４＝Ｒ１＋Ｒ２に設定したとすると、
【００７６】
【数６】
0005197028.tif 000007
【００７７】
すなわち、トランジスタＱ５５のコレクタ−エミッタ間が導通している状態で電流測定回路１５０が生成する第一の検出電圧及び第二の検出電圧の電圧値Ｖ１，Ｖ２は、トランジスタＱ５５のコレクタ−エミッタ間が絶縁している状態で電流測定回路１５０が生成する第一の検出電圧及び第二の検出電圧の電圧値Ｖ１，Ｖ２のそれぞれ半分となる。
【００７８】
点灯装置１００は、更に、故障検出回路１８１、点灯数判断回路１８２、制御信号生成回路１８３を有する。なお、この例において、故障検出回路１８１、点灯数判断回路１８２、制御信号生成回路１８３は、マイクロコンピュータＣＯＭがプログラムを実行することにより実現する。しかし、故障検出回路１８１、点灯数判断回路１８２、制御信号生成回路１８３は、アナログ部品あるいはデジタル部品により構成されるアナログ回路・デジタル回路・アナログデジタル混在回路などにより実現してもよい。
【００７９】
故障検出回路１８１は、光源回路１４０を構成する第一の光源及び第二の光源をそれぞれ流れる電流を検出することにより、第一の光源あるいは第二の光源の故障を検出する。
故障検出回路１８１は、例えば、発光ダイオードＬ４２のカソード端子と抵抗Ｒ４７との接続点の電位を測定することにより、第一の光源を流れる電流を検出する。同様に、故障検出回路１８１は、発光ダイオードＬ４４のカソード端子と抵抗Ｒ４８の接続点の電位を測定することにより第二の光源を流れる電流を検出する。発光ダイオードＬ４１あるいは発光ダイオードＬ４２が故障により開放した場合（オープン故障）、第一の光源を流れる電流が０になるので、故障検出回路１８１は、第一の光源が故障したことを検出する。同様に、発光ダイオードＬ４３あるいは発光ダイオードＬ４４が故障により開放した場合、第二の光源を流れる電流が０になるので、故障検出回路１８１は、第二の光源が故障したことを検出する。
【００８０】
点灯数判断回路１８２は、故障検出回路１８１が第一の光源あるいは第二の光源の故障を検出した場合に、故障が検出された光源を消灯し、残りの光源だけを点灯すると判断する。点灯数判断回路１８２は、判断結果にしたがって、スイッチング回路ＳＷ４５及びスイッチング回路ＳＷ４６をそれぞれ制御する制御信号を生成する。点灯数判断回路１８２が生成した制御信号は、スイッチング回路ＳＷ４５及びスイッチング回路ＳＷ４６がそれぞれ入力し、入力した制御信号に基づいて、導通あるいは絶縁する。
例えば、第一の光源（発光ダイオードＬ４１あるいは発光ダイオードＬ４２）が故障していること、及び、第二の光源（発光ダイオードＬ４３あるいは発光ダイオードＬ４４）が故障していないことを故障検出回路１８１が検出した場合、点灯数判断回路１８２は、スイッチング回路ＳＷ４５を絶縁させる制御信号と、スイッチング回路ＳＷ４６を導通させる制御信号とを生成する。
【００８１】
制御信号生成回路１８３は、点灯数判断回路１８２の判断結果に基づいて、トランジスタＱ５５を導通あるいは絶縁させる制御信号を生成する。トランジスタＱ５５は、制御信号生成回路１８３が生成した制御信号を入力し、入力した制御信号に基づいて、コレクタ−エミッタ間を導通あるいは絶縁する。
制御信号生成回路１８３は、点灯数判断回路１８２が第一の光源及び第二の光源を両方とも点灯させると判断した場合、トランジスタＱ５５を導通させる制御信号を生成する。また、制御信号生成回路１８３は、点灯数判断回路１８２が第一の光源及び第二の光源のどちらか一方のみを点灯させると判断した場合、トランジスタＱ５５を絶縁させる制御信号を生成する。
【００８２】
これにより、点灯数判断回路１８２が第一の光源及び第二の光源を両方とも点灯させる場合、電流測定回路１５０が生成する第一の検出電圧の電圧値Ｖ１及び第二の検出電圧の電圧値Ｖ２は、「数６」に示した式により算出される値となる。また、点灯数判断回路１８２が第一の光源及び第二の光源のいずれか一方のみを点灯させる場合、電流測定回路１５０が生成する第一の検出電圧の電圧値Ｖ１及び第二の検出電圧の電圧値Ｖ２は、「数１」に示した式により算出される値となる。
【００８３】
直流電源回路１１１及び直流電源回路１１２は、電流測定回路１５０が生成する第一の検出電圧の電圧値Ｖ１あるいは第二の検出電圧の電圧値Ｖ２が、所定の目標値ＶＩＮ１あるいはＶＩＮ２に近づくよう、生成する直流電圧の電圧値を調整するので、第一の光源及び第二の光源のいずれか一方のみを点灯させる場合に光源回路１４０を流れる電流の電流値Ｉ１は、第一の光源及び第二の光源を両方とも点灯させる場合の電流値Ｉ１の半分になる。したがって、点灯する光源を流れる電流は、第一の光源及び第二の光源のいずれか一方のみを点灯させる場合も、第一の光源及び第二の光源を両方とも点灯させる場合も、ほぼ同じになる。この関係は、直流電源回路１１１が動作して直流電圧を生成しているか、直流電源回路１１２が動作して直流電圧を生成しているかとは無関係であり、どちらの直流電源回路が動作している場合でも成立する。
【００８４】
このように、点灯装置１００は、光源の一部が故障した場合に、故障した光源を消灯し、他の光源の点灯を続ける。例えば、発光ダイオードＬ４１あるいは発光ダイオードＬ４２が故障した場合、発光ダイオードＬ４１及び発光ダイオードＬ４２を消灯し、発光ダイオードＬ４３及び発光ダイオードＬ４４は、点灯を続ける。
電流測定回路１５０は、抵抗Ｒ５４（固定抵抗器）とトランジスタＱ５５（スイッチング回路）とが直列に電気接続した回路（第三の抵抗回路）を、抵抗Ｒ５１（第一の抵抗回路）及び抵抗Ｒ５２（第二の抵抗回路）が直列に電気接続した回路と並列に電気接続している。全光源を点灯する場合は、トランジスタＱ５５のコレクタ−エミッタ間を導通させ、一部の光源のみを点灯する場合は、トランジスタＱ５５のコレクタ−エミッタ間を絶縁することにより、光源を流れる電流を一定にすることができる。
【００８５】
全点灯状態と一部点灯状態とでは、電流測定回路１５０が生成する第一の検出電圧及び第二の検出電圧の電圧値が変化するが、第一の検出電圧の電圧値と第二の検出電圧の電圧値との比は変わらない。したがって、いずれの直流電源回路が直流電圧を生成する場合であっても、点灯する光源を流れる電流は一定となる。
【００８６】
なお、この例では、点灯数判断回路１８２が故障の検出によって点灯する光源の数を判断するが、光源を一部点灯するのは、光源が故障した場合に限るものではない。例えば、利用者の指示を入力するボタンが押された場合に、全点灯と一部点灯とを切り替える構成であってもよい。
【図面の簡単な説明】
【００８７】
【図１】実施の形態１における誘導灯８００の外観を示す図。
【図２】実施の形態１における点灯装置１００の回路ブロックの構成を示すブロック構成図。
【図３】実施の形態１における点灯装置１００の回路構成を示す回路図。
【図４】実施の形態１における直流電源回路１１１及び直流電源回路１１２が入力する検出電圧と生成する直流電圧との関係を示す特性グラフ図。
【図５】実施の形態２における点灯装置１００の回路構成を示す回路図。
【図６】実施の形態３における点灯装置１００の回路構成を示す回路図。
【符号の説明】
【００８８】
１００  点灯装置、１１１〜１１３  直流電源回路、１４０  光源回路、１５０  電流測定回路、１６０  電源選択回路、１６１  停電検出回路、１６２  停電時選択回路、１７０  制御電源回路、１８１  故障検出回路、１８２  点灯数判断回路、１８３  制御信号生成回路、２００  表示板、８００  誘導灯、８１０  天井、ＡＣ  商用電源、Ｂ２２  充電池、ＢＡ  非常用直流電源、Ｃ２１  コンデンサ、ＣＯＭ  マイクロコンピュータ、Ｄ３１〜Ｄ３３  ダイオード、ＤＢ  ダイオードブリッジ、ＤＣ１１〜ＤＣ１３  直流−直流変換回路、Ｌ４１〜Ｌ４４  発光ダイオード、Ｑ５５  トランジスタ、Ｒ４７〜Ｒ４８，Ｒ５１〜Ｒ５４  抵抗、ＳＷ４５〜ＳＷ４６  スイッチング回路。
【図１】
0005197028.tif 000008
【図２】
0005197028.tif 000009
【図３】
0005197028.tif 000010
【図４】
0005197028.tif 000011
【図５】
0005197028.tif 000012
【図６】
0005197028.tif 000013